(57)【要約】【課題】モーションセンサを有効に利用することができる携帯端末を提供すること。【解決手段】片面に主表示装置が設けられ、反対側の面に副表示装置の設けられた第１の筐体と、片面に主キー入力装置の設けられた第２の筐体と、前記第１および第２の筐体を、前記主表示装置および前記主キー入力装置が内側となるように二つ折り可能に接続するヒンジ部とを備えた携帯端末において、前記携帯端末の位置および／または角度の変動を検出し、当該変動に応じた信号を出力するモーションセンサ部をさらに備え、前記第１および第２の筐体を二つ折りにした状態では、前記モーションセンサ部の出力した信号によって副表示装置の表示を制御可能に構成する。【選択図】図１
2008187407.tif 000002
【特許請求の範囲】
【請求項１】
片面に主表示装置が設けられ、反対側の面に副表示装置が設けられた第１の筐体と、
片面に主キー入力装置が設けられた第２の筐体と、
前記第１および第２の筐体を、前記主表示装置および前記主キー入力装置が内側となるように二つ折り可能に接続するヒンジ部とを備えた携帯端末において、
前記携帯端末の位置および／または角度の変動を検出し、当該変動に応じた信号を出力するモーションセンサ部をさらに備え、
前記第１および第２の筐体を二つ折りにした状態では、前記モーションセンサ部の出力した信号によって前記副表示装置の表示を制御可能なことを特徴とする携帯端末。
【請求項２】
前記第１および第２の筐体が二つ折りにされた状態であるか否かを検出する二つ折り状態検出部をさらに備え、
前記二つ折り状態検出部が前記第１および第２の筐体が二つ折りにされたことを検出すると、前記モーションセンサ部の出力した信号によって前記副表示装置の表示を制御可能な状態とすることを特徴とする請求項１に記載の携帯端末。
【請求項３】
さらに、前記二つ折り状態検出部が前記第１および第２の筐体が二つ折りにされた状態が解除されたことを検出すると、前記モーションセンサ部の出力した信号によって前記副表示装置の制御可能な状態を終了することを特徴とする請求項２に記載の携帯端末。
【請求項４】
前記モーションセンサ部の電源をＯＮ／ＯＦＦするためのセンサ起動ボタンを、前記第１および第２の筐体ならびに前記ヒンジ部のいずれかに設けたことを特徴とする請求項１から請求項３のいずれか１項に記載の携帯端末。
【請求項５】
前記副表示装置の表示は、前記モーションセンサ部から出力される信号に応じて、ホーム画面から画面を遷移させるものであり、
前記副表示装置の画面を前記初期画面に戻すためのホームボタンを、前記第１および第２の筐体ならびに前記ヒンジ部のいずれかに設けたことを特徴とする請求項１から請求項４のいずれか１項に記載の携帯端末。
【請求項６】
表示装置と、主キー入力装置と、前記主キー入力装置を格納する機構を備えた筐体とを具備した携帯端末において、
前記携帯端末の位置および角度の変動を検出し、当該変動に応じた信号を出力するモーションセンサ部をさらに備え、
前記主キー入力装置を筐体に格納した状態では、前記モーションセンサ部が出力した信号によって前記表示装置の表示を制御可能なことを特徴とする携帯端末。
【請求項７】
前記主キー入力装置が筐体に格納されているか否かを検出するキー格納状態検出部をさらに備え、
前記キー格納状態検出部が前記主キー入力装置が筐体に格納されていることを検出すると、前記モーションセンサ部の出力した信号によって前記副表示装置の表示を制御可能な状態とすることを特徴とする請求項６に記載の携帯端末。
【請求項８】
さらに、前記キー格納状態検出部によって前記主キー入力装置が筐体に格納された状態が解除されたことを検出すると、前記モーションセンサ部の出力した信号による前記副表示装置の制御を終了することを特徴とする請求項７に記載の携帯端末。
【請求項９】
前記モーションセンサ部の電源をＯＮ／ＯＦＦするセンサ起動ボタンを筐体に設けたことを特徴とする請求項６から請求項８のいずれか１項に記載の携帯端末。
【請求項１０】
前記副表示装置の表示は、前記モーションセンサ部から出力される信号に応じて、ホーム画面から画面を遷移させるものであり、
前記副表示装置の画面を前記初期画面に戻すためのホームボタンを、前記筐体に設けたことを特徴とする請求項６から請求項９のいずれか１項に記載の携帯端末。
【発明の詳細な説明】
【技術分野】
【０００１】
本発明は、携帯端末に関するものである。
【背景技術】
【０００２】
携帯電話等の携帯端末の筐体設計の一つに、操作部と表示部を二つ折りにすることができるクラムシェル型（二つ折り型）がある。このようなクラムシェル型筐体を採用した携帯端末は、液晶表示装置が設けられた部分とキー入力装置が設けられた部分とをヒンジによって開閉可能に接続した構成となっており、通話等に使用する際にはユーザによって両部分が開いた状態とされ、使用が終わると両部分を閉じた状態として収容されるものである。クラムシェル型の携帯端末は、液晶表示装置とキー入力装置が互いに向かい合うようにして二つ折りにされることが通常であり、これにより液晶表示装置およびキー入力装置は衝撃や接触から保護される。このため、そのような端末を二つ折りにした状態では液晶表示装置およびキー入力装置はいずれも使用することができない。
【０００３】
このような携帯端末を二つ折りにした状態において、現在時刻、着呼状況、メール着信状況等を表示してユーザに視認させるために、二つ折りにすると外側に露出した位置にサブの液晶表示装置を設ける筐体設計も知られている。例えば、液晶表示装置を設けた面の反対側の面（背面）に背面液晶表示装置を設けることは広く行われている。
【０００４】
一方、近時の携帯端末では、地磁気センサを利用して端末の姿勢角度を検出する電子コンパスや、さらに地磁気センサに加速度センサを組み合わせて端末の位置や角度の変動を検出するモーションセンサ（モーションコントロールセンサ）を搭載するものも開発されている。モーションセンサを採用した端末では、端末を動かしたり傾けたりすることにより操作を行うことが可能である。このような技術を開示したものの一つに特許文献１をあげることができる。
【特許文献１】特開２００１−２７２４１３
【発明の開示】
【発明が解決しようとする課題】
【０００５】
しかしながら、液晶表示装置を搭載した携帯端末では、液晶表示装置上にＧＵＩ（Graphical User Interface）が構築され、それをキー入力装置で操作することが前提となっており、キー入力装置の配置等も液晶表示装置上のＧＵＩが操作しやすくなるように最適化されている。このため、そのような端末にモーションセンサを搭載して液晶表示装置のＧＵＩを操作できるようにしても、使い慣れたキー入力装置を従来通りに利用するユーザがほとんどである。
【０００６】
このような事情により、携帯端末のモーションセンサは一部のゲームアプリケーション等において限定的に利用されているにすぎず、その他の用途にはほとんど使用されていない。換言すれば、ゲーム以外の分野では、携帯端末におけるモーションセンサの有効な利用方法は提案されていないというのが現状である。
【０００７】
本発明は、以上のような課題に鑑み、モーションセンサを有効に利用することができる携帯端末を提供することを目的とする。より詳細には、モーションセンサを有効に活用することの可能な、背面液晶を備えたクラムシェル型筐体の携帯端末を提供することを目的とする。
【課題を解決するための手段】
【０００８】
上記課題を解決するために、本発明の第１の観点は、片面に主表示装置が設けられ、反対側の面に副表示装置が設けられた第１の筐体と、
片面に主キー入力装置が設けられた第２の筐体と、
前記第１および第２の筐体を、前記主表示装置および前記主キー入力装置が内側となるように二つ折り可能に接続するヒンジ部とを備えた携帯端末において、
前記携帯端末の位置および／または角度の変動を検出し、当該変動に応じた信号を出力するモーションセンサ部をさらに備え、
前記第１および第２の筐体を二つ折りにした状態では、前記モーションセンサ部の出力した信号によって前記副表示装置の表示を制御可能なことを特徴とする携帯端末を提供する。
【０００９】
本発明の第１の観点においては、前記第１および第２の筐体が二つ折りにされた状態であるか否かを検出する二つ折り状態検出部をさらに備え、
前記二つ折り状態検出部が前記第１および第２の筐体が二つ折りにされたことを検出すると、前記モーションセンサ部の出力した信号によって前記副表示装置の表示を制御可能な状態とすることができ、さらに、前記二つ折り状態検出部が前記第１および第２の筐体の二つ折りにされた状態が解除されたことを検出すると、前記モーションセンサ部の出力した信号によって前記副表示装置の制御可能な状態を終了することができる。
【００１０】
また、前記モーションセンサ部の電源をＯＮ／ＯＦＦするためのセンサ起動ボタンを、前記第１および第２の筐体ならびに前記ヒンジ部のいずれかに設けてもよい。さらに、前記副表示装置の表示を、前記モーションセンサ部から出力される信号に応じて、ホーム画面から画面を遷移させるものとし、前記副表示装置の画面を前記初期画面に戻すためのホームボタンを、前記第１および第２の筐体ならびに前記ヒンジ部のいずれかに設けることも可能である。
【００１１】
また、本発明の第２の観点は、表示装置と、主キー入力装置と、前記主キー入力装置を格納する機構を備えた筐体とを具備した携帯端末において、
前記携帯端末の位置および角度の変動を検出し、当該変動に応じた信号を出力するモーションセンサ部をさらに備え、
前記主キー入力装置を筐体に格納した状態では、前記モーションセンサ部が出力した信号によって前記表示装置の表示を制御可能なことを特徴とする携帯端末を提供する。
【００１２】
本発明の第２の観点においては、前記主キー入力装置が筐体に格納されているか否かを検出するキー格納状態検出部をさらに備え、
前記キー格納状態検出部が前記主キー入力装置が筐体に格納されていることを検出すると、前記モーションセンサ部の出力した信号によって前記副表示装置の表示を制御可能な状態とすることができ、さらに、前記キー格納状態検出部によって前記主キー入力装置が筐体に格納された状態を解除されたことを検出すると、前記モーションセンサ部の出力した信号による前記副表示装置の制御を終了することができる。
【００１３】
また、前記モーションセンサ部の電源をＯＮ／ＯＦＦするセンサ起動ボタンを筐体に設けてもよい。さらに、前記副表示装置の表示は、前記モーションセンサ部から出力される信号に応じて、ホーム画面から画面を遷移させるものであり、
前記副表示装置の画面を前記初期画面に戻すためのホームボタンを、前記筐体に設けること可能である。
【発明の効果】
【００１４】
本発明の第１の観点によれば、第１および第２の筐体を二つ折りにして、主表示装置とキー入力装置とが内側に隠された状態で、副表示装置（例えば背面液晶装置）の表示をモーションセンサ部で制御可能とするので、主表示装置とキー入力装置が使用できない状況において、モーションセンサ部を利用して副表示装置の表示を切り替えたり、スクロールさせることができる。副表示装置のサイズは小さく表示可能な情報量は少ないが、画面を切り替えたりスクロール等したりすることでより多くの情報を表示することが可能となる。従来の携帯端末では、二つ折りにして主キー入力装置を操作できない状態とすると、携帯の側面に設けられた補助操作ボタン等を操作しなければ画面切り替え等の指示を入力することができなかった。しかし、本発明ではモーションセンサ部でユーザが端末を動かしたり傾けたりする動作を検出して背面液晶の画面を制御するので、極めて直感的に背面液晶の表示を切り替えたりスクロールさせることが可能である。
【００１５】
本発明の第１の観点においては、端末が二つ折りにされたことを検出する二つ折り状態検出部を設け、端末が二つ折りにされている間は自動的にモーションセンサ部で背面液晶を制御可能とすることにより、余分な操作を行うことなくモーションセンサ部で背面液晶を制御する状態へ移行することができる。一方、消費電力を低減したいという観点からは、センサ起動ボタンを設けて、必要なときだけモーションセンサ部をＯＮにすることが望ましい。また、背面液晶の表示が初期画面から画面を遷移するものである場合には、背面液晶の表示を初期画面に戻すためのホームボタンを設けることで、背面液晶の表示をより簡単に制御することができる。
【００１６】
また、本発明は第１の観点のように二つ折り可能な筐体構造と平面液晶を備えた携帯端末に限られたものではなく、第２の観点に示したように、表示装置と、主キー入力装置と、前記主キー入力装置を格納する機構を備えた筐体とを具備した携帯端末においても有効である。このような解体端末としては、例えば、筐体をスライドさせてキーボードを格納するものや、フリップ型のものを挙げることができる。
【発明を実施するための最良の形態】
【００１７】
以下、本発明を実施するための最良の形態を、図面を参照しながら説明する。
図１は本発明の一実施形態にかかる携帯端末１００について、（ａ）端末を開いた開状態と、（ｂ）端末を二つ折りにした閉状態とを示す図面であり、図２は携帯端末１００の機能ブロック図である。
【００１８】
図１に示すように、この携帯端末１００は、主液晶表示装置１０２の設けられた第１の筐体１０１と、主キー入力装置１０６の設けられた第２の筐体１０５とが、ヒンジ部１１０によって二つ折り可能に接続されたクラムシェル型の端末である。図に示すように、第１の筐体に設けられた主液晶表示装置１０２と第２の筐体１０５の主キー入力装置１０６とは、携帯端末１００を二つ折りにする際に互いに向かい合った状態で内側に収容される。したがって、携帯端末１００を二つ折りにすることによって、主液晶表示装置１０２が傷ついたり主キー入力装置１０６が誤って操作されてしまうことを防止することができる。また、第１の筐体１０１の主液晶表示装置１０２と反対側、すなわち携帯端末１００を二つ折りにした際に外側に露出している側には、背面液晶表示装置（副液晶表示装置）１０３が設けられている。
【００１９】
携帯端末１００を開状態とした際には、主液晶表示装置１０２に携帯端末１００のグラフィカルユーザインターフェイスが表示され、主キー表示装置１０６の０〜９数字ボタンやカーソルキー等を操作することにより、このグラフィカルユーザインターフェイスを介して携帯端末１００を操作することが可能である。一方、携帯端末１００を閉状態とした際には、主液晶表示装置１０２および主キー表示装置１０６は使用できないので、背面液晶１０３に携帯端末１００の状態を示す種々の情報が表示されるようになっている。携帯端末１００を開状態とした場合における背面液晶表示装置１０３の表示については、後に詳述する。また、第２の筐体１０５には、その側部にセンサ起動ボタン１０８およびホームボタン１０９が設けられている。
【００２０】
このような携帯端末１００は、図２に示すように、主液晶表示装置１０２と、背面液晶装置１０３と、制御部１２１と、主キー入力装置１０６と、通信部１２２と、記憶部１２３と、モーションセンサ部１３０と、筐体状態検出部１３１と、補助キー入力装置１３２といった機能ブロックを含んでいる。
【００２１】
主液晶表示装置１０２および背面液晶表示装置１０３は、いずれも液晶表示装置（ＬＣＤ）であるが、主液晶表示装置１０２の方が背面液晶表示装置１０３よりもサイズが大きく、表示可能色数および画素数が多い表現力の高いものとなっている。また、携帯端末１００の電源をＯＮにしていても、携帯端末１００を二つ折りにした状態では主液晶表示装置１０２をＯＦＦにすることで消費電力の軽減が図られている。一方、背面液晶表示装置１０３については、携帯端末１００を二つ折りにした状態でＯＮにされ、携帯端末１００を開いた状態でＯＦＦになるように構成されている。前述の通り、携帯端末１００を二つ折りにした状態では、主液晶表示装置１０２は第２の筐体１０５で隠されるのでユーザからは見えなくなり。
【００２２】
制御部１２１は、例えば第１の筐体１０１または第２の筐体１０５に格納されたＣＰＵ上で所定のソフトウェアを実行することにより実現され、各機能ブロックの動作を制御することにより携帯端末１００の各種機能を実現するものである。より具体的には、例えば、制御部１２１は、主液晶表示装置１０２上にグラフィカルユーザインターフェイスを表示させつつ、主キー入力装置１０６からの入力に応じて主液晶表示装置１０２の表示を遷移させ、また必要に応じて通信部１２２を制御して通信を行う。
【００２３】
主キー入力装置１０６は、０〜９の数字ボタン、カーソルキー、電源スイッチ等を含んだものであり、ユーザが操作することにより携帯端末１００に入力を行うためのものである。前述の通り、携帯端末１００を二つ折りにした状態では、主キー入力装置１０６は第１の筐体１０１で隠されるので操作不能となる。
【００２４】
通信部１２２は携帯端末１００を所定の通信方式で移動体通信網に接続するための部であり、通信部１２２により携帯端末１００は別の端末に対して発呼することができ、また別の端末からの着呼を受けることができる。また、各種メールの送受信も通信部１２２を介して行われる。
【００２５】
記憶部１２３は、携帯端末１００の各種データを保存するための部であり、不揮発性メモリであるＲＯＭ、不揮発性メモリでありながら書き換え可能なＦｌａｓｈＲＯＭ、揮発性メモリであるＲＡＭからなっている。このような記憶部１２３には、メール保存部１２４と、発呼・着呼履歴記憶部１２５が含まれている。このうちメール保存部１２４は通信部１２２が送受信したメールを送受信時刻とともに蓄積して保存するための部であり、発呼・着呼履歴記憶部１２５は通信部１２２が発呼・着呼した日付・時刻・通信相手の履歴を蓄積して保存するための部である。メール保存部１２４および発呼・着呼履歴記憶部１２５に保存された内容は、制御部１２１により読み出して主液晶表示装置１０２上に表示することが可能であり、また後述するように背面液晶表示装置１０３に表示することも可能となっている。
【００２６】
モーションセンサ部１３０は、携帯端末１００の位置および／または姿勢角度の変動を検出することにより、ユーザが携帯端末１００を動かしたり傾けたりする動作を検出し、それに相当する信号を制御部１２１に出力するものである。このようなモーションセンサ部１３０は、地磁気センサに加速度センサを組み合わせて構成したものであっても良いし、加速度センサでも良く、また傾きセンサを利用することも可能である。また、その変動を検出する方向は、３軸であっても２軸であってもよい。３軸方向の地磁気センサと３軸方向の加速度センサとを組み合わせた６軸センサ、また、３軸方向の地磁気センサと２軸方向の加速度センサとを組み合わせた５軸センサは、いずれもモーションセンサ部１３０として利用可能である。ただし、モーションセンサ部１３０の種類によっては、検出可能な動作が限定されることもあるので、後述する背面液晶表示装置１０３を制御する動作は、場合によっては、モーションセンサ部１３０で利用するセンサの特性に応じて変更する必要がある。以下では、モーションセンサ部１３０に公知の６軸センサを使用することを前提に説明を行う。
【００２７】
筐体状態検出部１３１は、携帯端末１００が二つ折りにされた閉状態にあるか、二つ折りにされていない開状態にあるかを検出し、それに応じた信号を制御部１２１に出力する部である。このような筐体状態検出部１３１は、ヒンジ部１１０に接続された第１の筐体１０１および第２の筐体１０５の角度を検出するセンサとして構成してもよいし、第１の筐体１０１および第２の筐体１０５にスイッチを内蔵した凹部と凸部を設け、二つ折りにした際に凸部と凹部とが重なり合うことでスイッチが操作されるように構成することも可能である。また、これらに限らず所望の構成をとることが可能である。
【００２８】
補助キー入力装置１３２は、主キー入力装置１０６のように携帯端末１００を二つ折りにしても第１または第２の筐体１０１または１０５によって操作不能とならないように、第２の筐体の側部に設けられており、モーションセンサ部１３０をＯＮ−ＯＦＦするセンサ起動ボタン１０８と、背面液晶表示装置１０３の表示を後述するように制御するホームボタン１０９とを含んでいる。これらの補助入力装置１３２も、前述した主キー入力装置１０６と同じく、操作することにより所定の信号を制御部１２１へ出力するものである。
【００２９】
次に、以上のように構成された携帯端末１００を図１（ｂ）に示すように閉状態として、背面液晶表示装置１０３の表示内容をモーションセンサ部１３０によって制御する動作について、図３から図５を参照しながら説明する。
まず、ユーザが、携帯端末１００を図１（ａ）に示すように開いている状態から図１（ｂ）に示すように二つ折りにすると、筐体状態検出部１３１によって端末が二つ折りにされたことが検出され、筐体状態検出部１３１から制御部１２１に端末が二つ折りにされたことを示す所定の信号が出力される。
【００３０】
制御部１２１は、筐体状態検出部１３１から上記所定の信号を受けると、主液晶表示装置１０２の電源をＯＦＦするとともに、背面液晶表示装置１０３の電源をＯＮし、背面液晶表示装置１０３に所定の画面を表示する。また、制御部１２１は、モーションセンサ部１３０からの信号を受け付けて、背面液晶表示装置１０３の画面表示を制御可能な状態にこの段階で移行する。
【００３１】
このような状態で補助キー入力装置１３２のセンサ起動ボタン１０８を操作することにより、モーションセンサ部１３０の電源がONされ、モーションセンサ部１３０は携帯端末１００の位置および／または姿勢角度の変動を検出開始し、ユーザが携帯端末１００を動かしたり、傾けたり、回転させる動作を行うと、その動作に相当する信号がモーションセンサ部１３０から制御部１２１に出力される。そのような信号を受けた制御部１２１は、背面液晶表示装置１０３の表示画面を信号に対応するように制御する。背面液晶表示装置１０３の制御については、後に詳述する。
【００３２】
以上のようにしてモーションセンサ部１３０の出力する信号により背面液晶表示装置１０３の表示画面を制御した後、補助キー入力装置１３２のセンサ起動ボタン１０８を再度操作するとモーションセンサ部１３０の電源はＯＦＦされ、モーションセンサ部１３０による背面液晶表示装置１０３の制御は終了する。
【００３３】
そして、ユーザにより二つ折りにされていた携帯端末１００が図１（ａ）に示すように開かれると、そのことが筐体状態検出部１３１によって検出され、筐体状態検出部１３１から制御部１２１に端末の二つ折り状態が解除されたことを示す所定の信号が出力される。この信号を受けた制御部１２１は、背面液晶表示装置１０３の電源をＯＦＦするとともに、主液晶表示装置１０２の電源をＯＮし、主液晶表示装置１０２に所定の画面を表示する。また、この段階で、制御部１２１は主キー入力装置１０６等の入力を受け付けて、背面液晶表示装置１０３の画面表示を制御可能な状態に移行する。モーションセンサ部１３０の電源をＯＦＦする前に携帯端末１００が開かれた場合も同様である。
【００３４】
以下、上述した動作における背面液晶表示装置１０３の画面制御について、画面の遷移を例示しながら説明する。
まず、ユーザが二つ折りにした携帯端末１００を図３に示すように、上方向、下方向、右方向または左方向に傾ける動作によって、図４に示すように画面を遷移させる第１の画面制御について示す。
【００３５】
第１の画面制御では、背面液晶表示装置１０３が複数行の文字表示をできるだけのサイズであることを前提とし、まず初期画面では端末を二つ折りにしてから受信した着呼およびメールの数をそれぞれアイコンとともに表示する（ＨＯＭＥ）。この初期画面から、モーションセンサ部１３０の電源をＯＮにした状態で携帯端末１００を上方向に傾動させると、最新の着呼について着呼日時・時刻・発信者の情報が表示される。そして上方向への傾動を繰り返すことにより、図４の画面２０１〜２０３に示すように、次の着呼を表示する画面へ順に切り替えられ、各着呼の情報を見ることができる。
【００３６】
一方、携帯端末１００を下方向に傾動させると、最新の着信メールについて送信者・件名が表示される。そして下方向への傾動を繰り返すことにより、図４の画面２１１、画面２１３に示すように、次のメールを表示する画面へ順に切り替えられ、各メールの情報を見ることができる。さらに、ある着信メールの送信者・件名を表示している状態で、携帯端末１００を右方向に傾動させると、表示しているメールの件名の続き・メール本文が表示される。この際、右方向への傾動を持続することにより表示をスクロールさせて、全文が表示されるようにしてもよい。
【００３７】
また、第２の筐体１０５の側部に設けられたホームボタン１０９が操作された場合には、その時点で画面がどの状態にあるかに関わらず初期画面（ＨＯＭＥ）へ表示を戻す。これにより、画面表示が深い階層に入っていても、背面液晶表示装置１０３の表示を容易に初期画面へ戻すことが可能である。
【００３８】
次に、図５に示した携帯端末１００′のように背面液晶表示装置１０３のサイズが小さく、複数行の文字ができないことを前提として、図６のように画面を遷移させる第２の画面制御について説明する。
【００３９】
第２の画面制御では、初期画面には現在時刻のみを表示する（ＨＯＭＥ）。この初期画面から、モーションセンサ部１３０の電源をＯＮにした状態で、携帯端末１００を上方向に傾動させるとメール着信状態を示す画面３０１が表示され、画面３０１が表示された状態で右方向へ傾動させると着信したメールの情報を示す画面３０２が表示される。また、初期画面から携帯端末１００を下方向に傾動させると着呼情報を示す画面３０４が表示され、画面３０４が表示された状態で右方向へ傾動させると着呼に関する情報を示す画面３０５が表示される。また、画面３０４が表示された状態で携帯端末１００をさらに下方向に傾動させると予め登録されたサイトの更新情報の有無を示す画面３０６が表示され、画面３０６が表示された状態で右方向へ傾動させるとサイト更新のアブストラクトを示す画面３０７が表示される。
【００４０】
第２の画面制御においても、第２の筐体１０５の側部に設けられたホームボタン１０９が操作された場合には、その時点で画面がどの状態にあるかに関わらず初期画面（ＨＯＭＥ）へ表示を戻す。
【００４１】
以上のような第１および第２の画面制御によれば、サイズが小さく情報表示量が限られた背面液晶表示装置１０３を利用して様々な情報を表示させることができ、二つ折りにした携帯端末１００を開くことなく各種情報へアクセスすることが可能である。クラムシェル型の携帯端末１００を二つ折りにした状態では主キー入力装置１０６を利用できないが、本実施形態では携帯端末１００に搭載されたモーションセンサ部１３０を利用するので、背面液晶表示装置１０３を制御するためのボタンを最小限としつつ、携帯端末１００を傾動させる直感的な操作により背面液晶表示装置１０３の画面を制御することができる。
【００４２】
また、本実施形態では、筐体状態検出部１３１により携帯端末１００が二つ折りにされているか否かを検出し、二つ折りにされていることを検出した場合には、制御部１２１がモーションセンサ部１３０の出力信号によって背面液晶表示装置１０３の画面を制御する状態へ自発的に移行することができる。
【００４３】
さらに、本実施形態では、モーションセンサ部１３０で背面液晶表示装置１０３の画面を制御するのは携帯端末１００を二つ折りにしている間だけなので、携帯端末１００を開いている状態ではゲームアプリケーション等で従来通りにモーションセンサ部１３０を利用することが可能である。さらにまた、モーションセンサ部１３０の電源はセンサ起動ボタン１０８を明示的に操作することによりＯＮとなるので、必要のないタイミングでモーションセンサ部１３０が動作することにより携帯端末１００の電池が消耗することを防止することができる。
【００４４】
以上、本発明の実施の形態について説明したが、本発明はこれに限定されることなく、その趣旨を逸脱しない範囲で種々の改良・変更が可能であることは勿論である。
例えば、上記ではクラムシェル型の携帯端末に本発明を適用した場合ついて説明したが、本発明は筐体をスライドさせることによりキー入力装置を収容可能な携帯端末に適用することも可能である。また、モーションセンサ部によって制御するのは背面液晶表示装置に限られるものではなく、本実施形態のクラムシェル型の携帯端末において第１の筐体１０１を回転させることにより主液晶表示装置１０２を外側に露出した状態で二つ折り可能に構成した場合には、二つ折りにした状態でモーションセンサ部１３０によって主液晶表示装置１０２の画面表示を制御することも可能である。さらに、センサ起動ボタン１０８およびホームボタン１０９は同じボタンを割り当てて、通常の操作と長押しで両者の機能を使い分けるようにしても構わない。
【００４５】
さらにまた、上記実施形態では、筐体状態検出部１３１によって端末が二つ折りにされているか否かを検出し、二つ折りにされている場合には自動的にモーションセンサ部１３０によって背面液晶表示装置１０３を制御可能とする場合を示したが、ユーザの明示的な操作によってモーションセンサ部１３０による背面液晶表示装置１０３の制御を開始してもよい。
【００４６】
さらにまた、上記実施形態における第１および第２の画面制御は例示にすぎず、所望の画面制御を採用することができる。例えば、上記実施形態では、携帯端末１００を上下左右に傾動させる動作によって画面を遷移させる場合を示したが、他の動作によって遷移させるようにしても構わない。
【００４７】
本発明によれば、二つ折りにしたり収容することにより主キー入力装置が使えない状態の携帯端末で、モーションセンサを利用して背面液晶表示装置のような表示装置の画面を制御するので、モーションセンサーを有効に利用して様々な情報を表示装置に表示させることができる。
【図面の簡単な説明】
【００４８】
【図１】（ａ）は本発明の実施の形態にかかる携帯端末１００を開いた状態、（ｂ）は携帯端末１００を二つ折りにした状態を示す図である。
【図２】携帯端末１００の機能ブロック図である。
【図３】第１の画面制御において、携帯端末１００を傾動させる方向を示す図である。
【図４】第１の画面制御における画面遷移を示す図である。
【図５】第２の画面制御において、携帯端末１００′を傾動させる方向を示す図である。
【図６】第２の画面制御における画面遷移を示す図である。
【符号の説明】
【００４９】
１００…携帯端末、１０１…第１の筐体、１０２…主液晶表示装置、１０３…背面液晶表示装置、１０５…第２の筐体、１０６…主キー入力装置。
【図１】
2008187407.tif 000003
【図２】
2008187407.tif 000004
【図３】
2008187407.tif 000005
【図４】
2008187407.tif 000006
【図５】
2008187407.tif 000007
【図６】
2008187407.tif 000008